(57)【特許請求の範囲】
【請求項１】
電圧を発生する測定対象の絶縁抵抗を測定する絶縁抵抗測定装置であって、
前記測定対象の出力にそれぞれ接続されて用いられる各接続端子と、
前記接続端子間の電圧を測定する電圧測定部と、
前記電圧測定部を前記各接続端子間に接続するかどうかを切り替える第１スイッチ回路と、
前記接続端子間に接続される抵抗と、
前記抵抗に流れる電流を測定する電流測定部と、
前記抵抗を前記各接続端子間に接続するかどうかを切り替える第２スイッチ回路と、
前記第１スイッチ回路を制御して前記電圧測定部を前記各接続端子間に接続し、前記各接続端子間で前記電圧測定部が測定した電圧を、前記測定対象の開放電圧とし、前記第２スイッチ回路を制御して前記抵抗を前記各接続端子間に接続し、前記電流測定部が測定した前記抵抗を流れる電流と、前記開放電圧とから前記測定対象の内部抵抗を算出し、前記内部抵抗と前記開放電圧とから前記測定対象の短絡電流を予測する制御部と、
を備えることを特徴とする絶縁抵抗測定装置。
【請求項２】
前記制御部は、あらかじめ記憶している規定値と、前記測定対象の短絡電流とを比較し、前記短絡電流が規定値以上であると、絶縁抵抗の測定不可を出力する、
ことを特徴とする請求項１に記載の絶縁抵抗測定装置。
【請求項３】
前記接続端子間を短絡する短絡回路と、
前記短絡回路を前記各接続端子間に接続するかどうかを切り替える第３スイッチ回路と、
前記短絡回路に電圧を加える電圧発生部と、
を備え、
前記電流測定部は、前記電圧発生部と前記短絡回路との間を流れる電流を測定し、
前記制御部は、前記短絡電流が規定値より小さいと、前記第３スイッチを制御して前記短絡回路を前記各接続端子間に接続し、前記電圧発生部を制御して、電圧を前記短絡回路に加え、前記電流測定部が測定した電流を前記測定対象の漏れ電流とし、前記開放電圧と前記漏れ電流とから前記測定対象の絶縁抵抗を算出する、
ことを特徴とする請求項２に記載の絶縁抵抗測定装置。
【発明の詳細な説明】
【技術分野】
【０００１】
この発明は、各種装置の絶縁抵抗を測定する絶縁抵抗測定装置に関する。
【背景技術】
【０００２】
絶縁抵抗測定の対象である装置には、太陽光パネルを備える太陽光発電装置がある。この太陽光発電装置の一例を図７に示す。この太陽光発電装置は、太陽光パネル１１０１〜１１０ｎと、接続箱１２０と、短絡用ＮＦＢ（ノーヒューズブレーカー）１３０と、連系用ＮＦＢ１４０とを備えている。この太陽光発電装置では、太陽光パネル１１０１〜１１０ｎが発電した直流電圧を、接続箱１２０が一つにまとめて連系用ＮＦＢ１４０に加える。接続箱１２０は、太陽光パネル用ＮＦＢ１２１１〜１２１ｎと、逆流防止用の整流器１２２１〜１２２ｎとを備えている。太陽光パネル用ＮＦＢ１２１１は端子１２１１１と端子１２１１２とを備え、端子１２１１１が端子１２１１２に対して開閉し、つまり、太陽光パネル用ＮＦＢ１２１１が入り切りし、太陽光パネル１１０１の出力を連系用ＮＦＢ１４０に接続するか、または非接続にするかを切り替える。
【０００３】
同じように、端子１２１２１と端子１２１２２とを備える太陽光パネル用ＮＦＢ１２１２、・・・、端子１２１ｎ１と端子１２１ｎ２とを備える太陽光パネル用ＮＦＢ１２１ｎは入り切りして、太陽光パネル１１０２、・・・、１１０ｎの出力を連系用ＮＦＢ１４０に接続するか、または非接続にするかを切り替える。
【０００４】
連系用ＮＦＢ１４０は、端子１４１と端子１４２とを備えている。連系用ＮＦＢ１４０は、その入り切りにより、接続箱１２０の出力、つまり太陽光パネル１１０２〜１１０ｎからの出力を、後段の直流・交流変換装置に送るかどうかを切り替える。
【０００５】
短絡用ＮＦＢ１３０は、端子１３１と端子１３２とを備えている。そして、短絡用ＮＦＢ１３０は、その入り切りにより、測定対象の太陽光パネルの出力を短絡し、短絡した出力にメガー（絶縁抵抗計）２１０を接続するかどうかを切り替える。つまり、短絡用ＮＦＢ１３０は絶縁測定時に用いられる。
【０００６】
こうした太陽光発電装置の太陽光パネル１１０１〜１１０ｎの絶縁測定を担当者が行う場合には、メガー２１０を用いた所定の手順があらかじめ決められている。つまり、太陽光パネル１１０１〜１１０ｎを電路から切り離しても、太陽光を受けている限り、開放電圧が発生するので、所定の手順が必要になる。この所定の手順は、
手順ａ．太陽光パネル用ＮＦＢ１２１１〜１２１ｎ、短絡用ＮＦＢ１３０、連系
用ＮＦＢ１４０を全て切る
手順ｂ．短絡用ＮＦＢ１３０の端子１３１の間を短絡して、端子１３１を短絡端
とする
手順ｃ．測定対象の太陽光パネルの太陽光パネル用ＮＦＢに、短絡用ＮＦＢ１３
０の開放端（端子１３２）を接続する
手順ｄ．メガー２１０の一方の測定端子を短絡用ＮＦＢ１３０の短絡端に接続し、
他方の測定端子を接地する
手順ｅ．測定対象の太陽光パネルの太陽光パネル用ＮＦＢを入れる
手順ｆ．短絡用ＮＦＢ１３０を入れる
手順ｇ．メガー２１０で絶縁抵抗を測定する
というものである。
【０００７】
こうした手順ａ〜手順ｇは担当者により行われるが、手順の煩雑により、次ぎのような装置がある（例えば、特許文献１参照。）。この装置は、太陽光発電装置のパワーコンディショナに常設されている。そして、高圧電源を太陽電池パネルに一時的に加えて、絶縁抵抗を計測する。これにより、絶縁抵抗の計測が自動で行われる。
【先行技術文献】
【特許文献】
【０００８】
【特許文献１】特開平８−１５３４５号公報
【発明の概要】
【発明が解決しようとする課題】
【０００９】
しかし、先の手順ａ〜手順ｇを担当者が行う場合には、つぎの課題がある。太陽光発電装置の太陽光パネル１１０１〜１１０ｎの絶縁抵抗測定毎に、接続箱１２０と短絡用ＮＦＢ１３０との結線を行い、かつ、測定手順（手順ａ〜手順ｇ）を踏まえる必要がある。このとき、測定手順を間違えると、例えば測定対象が太陽光パネル１１０１である場合に、ＮＦＢの切り忘れにより、この太陽光パネル１１０１に対して別の太陽光パネルが接続された状態であると、大きな短絡電流が流れて、感電の可能性がある。
【００１０】
また、絶縁抵抗を自動で測定する装置は、太陽光発電装置のパワーコンディショナに常設である。太陽光パネル１１０１〜１１０ｎのパネル毎に装置を設置することは、測定頻度、コストの面から非効率といえる。
【００１１】
この発明の目的は、前記の課題を解決し、各種装置の絶縁抵抗測定時に大きな短絡電流が発生することを防ぎ、また、絶縁抵抗測定を自動化する絶縁抵抗測定装置を提供することにある。
【課題を解決するための手段】
【００１２】
前記の課題を解決するために、請求項１の発明は、電圧を発生する測定対象の絶縁抵抗を測定する絶縁抵抗測定装置であって、前記測定対象の出力にそれぞれ接続されて用いられる各接続端子と、前記接続端子間の電圧を測定する電圧測定部と、前記電圧測定部を前記各接続端子間に接続するかどうかを切り替える第１スイッチ回路と、前記接続端子間に接続される抵抗と、前記抵抗に流れる電流を測定する電流測定部と、前記抵抗を前記各接続端子間に接続するかどうかを切り替える第２スイッチ回路と、前記第１スイッチ回路を制御して前記電圧測定部を前記各接続端子間に接続し、前記各接続端子間で前記電圧測定部が測定した電圧を、前記測定対象の開放電圧とし、前記第２スイッチ回路を制御して前記抵抗を前記各接続端子間に接続し、前記電流測定部が測定した前記抵抗を流れる電流と、前記開放電圧とから前記測定対象の内部抵抗を算出し、前記内部抵抗と前記開放電圧とから前記測定対象の短絡電流を予測する制御部とを備える、ことを特徴とする絶縁抵抗測定装置である。
【００１３】
請求項１の発明では、制御部が第１スイッチ回路を制御して電圧測定部を各接続端子間に接続する。この後、制御部は、各接続端子間で電圧測定部が測定した電圧を、測定対象の開放電圧とする。この後、制御部は、第２スイッチ回路を制御して抵抗を各接続端子間に接続する。そして、制御部は、電流測定部が測定した、抵抗を流れる電流と、開放電圧とから測定対象の内部抵抗を算出する。さらに、制御部は、内部抵抗と開放電圧とから測定対象の短絡電流を予測する。
【００１４】
請求項２の発明は、請求項１に記載の絶縁抵抗測定装置において、前記制御部は、あらかじめ記憶している規定値と、前記測定対象の短絡電流とを比較し、前記短絡電流が規定  
【００１５】
値以上であると、絶縁抵抗の測定不可を出力する、ことを特徴とする。
【００１６】
請求項３の発明は、請求項２に記載の絶縁抵抗測定装置において、前記接続端子間を短絡する短絡回路と、前記短絡回路を前記各接続端子間に接続するかどうかを切り替える第３スイッチ回路と、前記短絡回路に電圧を加える電圧発生部とを備え、前記電流測定部は、前記電圧発生部と前記短絡回路との間を流れる電流を測定し、前記制御部は、前記短絡電流が規定値より小さいと、前記第３スイッチを制御して前記短絡回路を前記各接続端子間に接続し、前記電圧発生部を制御して、電圧を前記短絡回路に加え、前記電流測定部が測定した電流を前記測定対象の漏れ電流とし、前記開放電圧と前記漏れ電流とから前記測定対象の絶縁抵抗を算出する、ことを特徴とする。
【発明の効果】
【００１７】
請求項１の発明によれば、測定対象の内部抵抗と開放電圧とから測定対象の短絡電流を自動で予測するので、測定対象の安全な絶縁抵抗の測定を可能にする。
【００１８】
請求項２の発明によれば、短絡電流が規定値より大きい場合には、絶縁抵抗の測定不可を出力するので、測定対象の絶縁抵抗の測定に際して、測定対象に対して例えば電圧を発生する別の装置が接続されている状態を、測定を行う担当者に知らせることができる。
【００１９】
請求項３の発明によれば、短絡回路と第３のスイッチ回路と電圧発生部とを設けて、制御部が第３のスイッチ回路と電圧発生部とを制御することにより、測定対象の絶縁抵抗の測定を自動で行うことができる。
【図面の簡単な説明】
【００２０】
【図１】この発明の実施の形態１による絶縁抵抗測定装置の一例を示す図である。
【図２】制御部の一例を示す構成図である。
【図３】測定処理の一例を示すフローチャートである。
【図４】短絡電流の予測を説明する説明図であり、図４（ａ）は開放電圧の測定を示す図、図４（ｂ）は電流の測定を示す図、図４（ｃ）は短絡電流の予測を示す図である。
【図５】絶縁測定を説明する説明図である。
【図６】実施の形態２による絶縁測定を説明する説明図である。
【図７】太陽光パネルの絶縁抵抗測定を説明する図である。
【発明を実施するための形態】
【００２１】
次に、この発明の各実施の形態について、図面を用いて詳しく説明する。なお、各実施の形態では、先に説明した図７と同一もしくは同一と見なされる構成要素には、それと同じ参照符号を付けて、その説明を省略する。
【００２２】
（実施の形態１）
この実施の形態による絶縁抵抗測定装置を図１に示す。この絶縁抵抗測定装置は、太陽光発電装置に設置されている太陽光パネルの絶縁抵抗を測定するためのものである。絶縁抵抗測定装置は、第１スイッチ回路１と、第２スイッチ回路２と、第３スイッチ回路３とを備えている。また、絶縁抵抗測定装置は、保護回路４と、接続端子５Ａ、５Ｂと、抵抗６と、変流器７とを備えている。さらに、絶縁抵抗測定装置は、電圧測定部８と、電流測定部９と、電圧発生部１０と、制御部１１とを備えている。なお、図１では、図面を見やすくするために、信号関係の配線を破線で表している。
【００２３】
接続端子５Ａ、５Ｂは、測定対象の太陽光パネルの太陽光パネル用ＮＦＢに、測定の担当者によって接続される部分である。保護回路４は、接続端子５Ａに設けられたヒューズ４Ａと、接続端子５Ｂに設けられたヒューズ４Ｂとを備えている。測定対象の太陽光パネルの太陽光パネル用ＮＦＢに接続端子５Ａ、５Ｂが接続された際に、保護回路４は、過大な電流が流れ込むことを防いでいる。なお、ヒューズ４Ａ、４Ｂの代わりにＮＦＢを用いてもよい。
【００２４】
第１スイッチ回路１は、接続端子５Ａ側の配線１２Ａと接続端子５Ｂ側の配線１２Ｂとの間に、電圧測定部８を接続するかどうかを切り替える。このために、第１スイッチ回路１は、第１スイッチ１Ａ、１Ｂを備えている。第１スイッチ１Ａは配線１２Ａと電圧測定部８の測定端子８Ａとの間に接続され、第１スイッチ１Ｂは配線１２Ｂと電圧測定部８の測定端子８Ｂとの間に接続されている。そして、第１スイッチ回路１は、制御部１１の制御によって、第１スイッチ１Ａ、１Ｂを開閉つまりオン・オフする。
【００２５】
電圧測定部８は、測定端子８Ａと測定端子８Ｂとを備え、測定端子８Ａと測定端子８Ｂとの間の電圧つまり太陽光パネルの出力電圧を測定する。そして、電圧測定部８は、測定電圧を制御部１１に送る。
【００２６】
第２スイッチ回路２は、接続端子５Ａ側の配線１２Ａと接続端子５Ｂ側の配線１２Ｂとの間に、抵抗６と変流器７との直列回路を接続するかどうかを切り替える。このために、第２スイッチ回路２は、第２スイッチ２Ａ、２Ｂを備えている。第２スイッチ２Ａは抵抗６と配線１２Ａとの間に接続され、第２スイッチ２Ｂは変流器７と配線１２Ｂとの間に接続されている。そして、第２スイッチ回路２は、制御部１１の制御によって、第２スイッチ２Ａ、２Ｂを開閉する。
【００２７】
抵抗６と変流器７との直列回路は、太陽光パネルの内部抵抗を演算する際に用いられる。このために、抵抗６と変流器７とが直列に接続され、抵抗６に流れる電流に対応する電流を変流器７が検出し、検出電流を電流測定部９に出力する。抵抗６は、太陽光パネルの内部抵抗に比べて、十分大きな既知の抵抗値をもつ。これにより、大きな電流が抵抗６に流れることを防いでいる。
【００２８】
電流測定部９は、変流器７からの検出電流により、変流器７に流れる電流を測定する。そして、電流測定部９は測定電流を制御部１１に出力する。
【００２９】
第３スイッチ回路３は、接続端子５Ａ側の配線１２Ａと接続端子５Ｂ側の配線１２Ｂとの間を短絡するかどうかを切り替える。このために、第３スイッチ回路３は、第３スイッチ３Ａ、３Ｂを備えている。第３スイッチ３Ａと第３スイッチ３Ｂとの間が短絡線１２Ｃで接続されている。短絡線１２Ｃは、太陽光パネルの絶縁抵抗を測定する際に、短絡回路を形成する。つまり、第３スイッチ３Ａは配線１２Ａと短絡線１２Ｃとの間に接続され、第３スイッチ３Ｂは配線１２Ｂと短絡線１２Ｃとの間に接続されている。そして、第３スイッチ回路３は、制御部１１の制御によって、第３スイッチ３Ａ、３Ｂを開閉する。
【００３０】
電圧発生部１０は、太陽光パネルの絶縁抵抗を測定する際に用いられる。このために、電圧発生部１０の出力端子１０Ａに接続された配線１２Ｄが変流器７を通って短絡線１２Ｃに接続され、出力端子１０Ｂがアースに接続されている。太陽光パネルの絶縁抵抗を測定するとき、電圧発生部１０は、制御部１１の制御によって、高電圧である所定電圧を短絡線１２Ｃとアースとの間に加える。このとき、太陽光パネルによる漏れ電流が発生すると、この漏れ電流が配線１２Ｄを流れ、さらに、変流器７を流れることになる。そして、配線１２Ｄに流れる電流に対応する電流を、変流器７が電流測定部９に出力する。
【００３１】
制御部１１は、絶縁抵抗測定装置に関する制御を行うものである。このために、制御部１１は、例えば図２に示すように、入力装置１１Ａと、表示装置１１Ｂと、制御回路１１Ｃと、インターフェース１１Ｄと、記憶装置１１Ｅとを備えている。入力装置１１Ａは、絶縁抵抗の測定開始等の指示を入力するためのスイッチなどを備えている。表示装置１１Ｂは、制御回路１１Ｃによる制御結果や演算結果などを表示する液晶パネルのような装置である。インターフェース１１Ｄは、第１スイッチ回路１〜第３スイッチ回路３、電圧測定部８、電流測定部９および電圧発生部１０を、制御回路１１Ｃに接続するための回路である。記憶装置１１Ｅは測定データ等を記憶する。また、記憶装置１１Ｅは、制御回路１１Ｃに必要とするプログラムをあらかじめ記憶している。
【００３２】
制御回路１１Ｃは、記憶装置１１Ｅに記憶されているプログラムを実行する。制御回路１１Ｃが実行するプログラムには、太陽光パネルの絶縁抵抗の測定などを行うための測定処理がある。入力装置１１Ａにスタートの指示が入力されると、制御回路１１Ｃは、例えば図３に示す測定処理を開始する。制御回路１１Ｃは、測定処理を開始すると、第１スイッチ回路１〜第３スイッチ回路３を制御して、第１スイッチ１Ａ、１Ｂを閉じ、第２スイッチ２Ａ、２Ｂおよび第３スイッチ３Ａ、３Ｂを開く（ステップＳ１）。つまり、第１スイッチ１Ａ、１Ｂをオンにして、第２スイッチ２Ａ、２Ｂおよび第３スイッチ３Ａ、３Ｂをオフにする。ステップＳ１により、接続端子５Ａ側と、接続端子５Ｂ側との間に電圧測定部８が接続される回路構成になる。
【００３３】
ステップＳ１が終了すると、制御回路１１Ｃは、電圧測定部８からの測定電圧により、インターフェース１１Ｄを経て太陽光パネルの開放電圧を得る（ステップＳ２）。つまり、ステップＳ２で制御回路１１Ｃは太陽光パネルの開放電圧を測定する。ステップＳ２で測定した開放電圧は、例えば図４（ａ）に示すように、測定対象１１０の電圧であり、電圧値Ｖである。なお、測定対象１１０は太陽光パネルに該当するものである。
【００３４】
ステップＳ２が終了すると、制御回路１１Ｃは、第１スイッチ回路１〜第３スイッチ回路３を制御して、第１スイッチ１Ａ、１Ｂを開き、第２スイッチ２Ａ、２Ｂを閉じ、第３スイッチ３Ａ、３Ｂを開く（ステップＳ３）。つまり、第１スイッチ１Ａ、１Ｂをオフにし、第２スイッチ２Ａ、２Ｂをオンにし、第３スイッチ３Ａ、３Ｂをオフにする。ステップＳ３により、抵抗６と変流器７との直列回路が接続端子５Ａ側と、接続端子５Ｂ側との間に接続され、変流器７が抵抗６を流れる電流を検出する回路構成になる。そして、検出電流を基に電流測定部９が電流値を測定する。
【００３５】
ステップＳ３が終了すると、制御回路１１Ｃは、電流測定部９からの測定電流により、インターフェース１１Ｄを経て、抵抗６の接続時の電流を得る（ステップＳ４）。つまり、ステップＳ４で制御回路１１Ｃは抵抗６の接続時の電流を測定する。この後、制御回路１１Ｃは、第２スイッチ２Ａ、２Ｂを開き（ステップＳ５）、ステップＳ２で測定した開放電圧と、ステップＳ４で測定した、抵抗６の接続時の電流とから、測定対象の内部抵抗を算出する（ステップＳ６）。ステップＳ６では、例えば図４（ｂ）に示すように、測定対象１１０に抵抗値Ｒの抵抗６を接続すると、測定電流Ｉは、
Ｉ＝Ｖ／（Ｒ０＋Ｒ）
となる。この式から、
Ｒ０＝（Ｖ／Ｉ）−Ｒ
となる。制御回路１１Ｃは、この式を用いて、内部抵抗の抵抗値Ｒ０を得ている。
【００３６】
ステップＳ６が終了すると、制御回路１１Ｃは、ステップＳ２で測定した開放電圧と、ステップＳ６で算出した内部抵抗とから、測定対象による短絡電流を予測する（ステップＳ７）。ステップＳ７では、例えば図４（ｃ）に示すように、ステップＳ２で得た開放電圧の電圧値Ｖと、ステップＳ６で得た内部抵抗の抵抗値Ｒ０とから、短絡電流の電流値Ｉ０は、
Ｉ０＝Ｖ／Ｒ０
となる。制御回路１１Ｃは、この式を用いて、測定対象１１０による短絡電流の電流値Ｉ０を得ている。
【００３７】
ステップＳ７が終了すると、制御回路１１Ｃは、あらかじめ記憶装置１１Ｅに記憶している規定値と、短絡電流の電流値とを比較して（ステップＳ８）、短絡電流の電流値が規定値より小さいかどうかを判定する（ステップＳ９）。ステップＳ８の規定値は、太陽光パネル１枚当たりの短絡電流の電流値を基にした値であり、例えば、太陽光パネル１枚当たりの短絡電流の値に余裕値を加味したものである。
【００３８】
ステップＳ９で、短絡電流の電流値が規定値より小さいと、制御回路１１Ｃは、第１スイッチ回路１〜第３スイッチ回路３を制御して、第１スイッチ１Ａ、１Ｂと第２スイッチ２Ａ、２Ｂとを開き、第３スイッチ３Ａ、３Ｂを閉じる（ステップＳ１０）。つまり、第１スイッチ１Ａ、１Ｂと第２スイッチ２Ａ、２Ｂとをオフにし、第３スイッチ３Ａ、３Ｂをオンにする。ステップＳ１０により、接続端子５Ａ側と、接続端子５Ｂ側との間が短絡線１２Ｃで短絡され、さらに、短絡線１２Ｃとアースとの間に電圧発生部１０が接続される。これにより、太陽光パネルとアースとの間に電圧発生部１０が接続される回路構成になる。
【００３９】
ステップＳ１０が終了すると、制御回路１１Ｃは、電圧発生部１０を制御して、短絡線１２Ｃとアースとの間、つまり、太陽光パネルとアースとの間に既知の電圧を加える（ステップＳ１１）。ステップＳ１１により、例えば電圧値Ｖ１の電圧を測定対象１１０とアースとの間に加える。
ステップＳ１１の後、測定対象１１０による漏れ電流が発生すると、変流器７がこの電流を検出する。そして、制御回路１１Ｃは、インターフェース１１Ｄを経て、検出電流を基に電流測定部９が測定した漏れ電流を得る（ステップＳ１２）。つまり、ステップＳ１２で制御回路１１Ｃは測定対象１１０の漏れ電流を測定する。
【００４０】
ステップＳ１１が終了すると、制御回路１１Ｃは、第１スイッチ回路１〜第３スイッチ回路３を制御して、第１スイッチ１Ａ、１Ｂと第２スイッチ２Ａ、２Ｂと第３スイッチ３Ａ、３Ｂとを開く（ステップＳ１３）。つまり、第１スイッチ１Ａ、１Ｂと第２スイッチ２Ａ、２Ｂと第３スイッチ３Ａ、３Ｂとをすべてオフにする。
【００４１】
ステップＳ１３の後、制御回路１１Ｃは、ステップＳ１１で電圧発生部１０が加えた電圧の値と、ステップＳ１２で測定した漏れ電流とから、測定対象（太陽光パネル）の絶縁抵抗を算出する（ステップＳ１４）。例えば、電圧発生部１０が太陽光パネル１１０１に電圧値Ｖ１の電圧を加えた場合に、電流値Ｉ１の漏れ電流が発生すると、絶縁抵抗Ｒ１は、
Ｒ１＝Ｖ１／Ｉ１
となる。制御回路１１Ｃは、ステップＳ１４でこの式を用いて、太陽光パネル１１０１の絶縁抵抗Ｒ１を算出する。
【００４２】
ステップＳ１４が終了すると、制御回路１１Ｃは、算出した絶縁抵抗の抵抗値を出力する（ステップＳ１５）。この実施の形態では、制御回路１１Ｃは、算出した絶縁抵抗の抵抗値を、表示装置１１Ｂに表示する。ステップＳ１５が終了すると、制御回路１１Ｃは、測定処理を終了する。
【００４３】
一方、ステップＳ９で、短絡電流の電流値が規定値以上であると、制御回路１１Ｃは、測定不可を表す信号を出力する（ステップＳ１６）。この実施の形態では、制御回路１１Ｃは、「測定不可」を表すメッセージを、表示装置１１Ｂに表示させる。制御回路１１Ｃは、ステップＳ１６の後、測定処理を終了する。
【００４４】
次に、この実施の形態による絶縁抵抗測定装置を用いた絶縁抵抗測定について、図７と同様の太陽光パネル１１０１〜１１０ｎおよび接続箱１２０を備える太陽光発電装置を例として説明する。測定対象が太陽光パネル１１０１である場合、絶縁測定を行う担当者は、接続箱１２０に収納されている太陽光パネル用ＮＦＢ１２１１〜１２１ｎと、連系用ＮＦＢ１４０とを切り、図５に示すように、絶縁抵抗測定装置の接続端子５Ａ、５Ｂを太陽光パネル用ＮＦＢ１２１１の端子１２１１１にそれぞれ接続する。なお、図５では、太陽光パネル１１０１、１１０２と、これらの周辺部分だけを示し、他は省略している。
【００４５】
この後、担当者は、絶縁抵抗測定装置の制御部１１の入力装置１１Ａを操作して、スタートの指示を入力する。これにより、絶縁抵抗測定装置は測定処理を開始して、太陽光パネル１１０１の絶縁抵抗を測定する。このとき、太陽光パネル１１０１用の太陽光パネル用ＮＦＢ１２１１を含む２つ以上のＮＦＢが閉じた状態であっても、つまり、太陽光パネル１１０１に対して別の太陽光パネルが接続されている状態であっても、測定処理のステップＳ１〜Ｓ９とステップＳ１６とにより、絶縁抵抗測定装置の表示装置１１Ｂが「測定不可」のメッセージを表示する。これにより、絶縁抵抗測定装置は、太陽光パネル１１０１に対して別の太陽光パネルが接続されていることを、担当者に知らせる。そして、絶縁抵抗測定装置は、太陽光パネル１１０１の出力を短絡して電圧発生部１０からの電圧を加えるという、絶縁抵抗の測定を中止する。
【００４６】
一方、太陽光パネル１１０１が単独である場合には、絶縁抵抗測定装置は、ステップＳ１〜Ｓ９に続くステップＳ１０〜Ｓ１５の処理により、太陽光パネル１１０１の出力を短絡して絶縁抵抗を測定し、絶縁抵抗の抵抗値を表示装置１１Ｂに表示する。
【００４７】
こうして、この実施の形態によれば、絶縁抵抗の測定の際に、測定対象の太陽光パネルに対して別の太陽光パネルが接続されている場合には、絶縁抵抗測定装置が自動で測定不可を出力するので、安全かつ容易な絶縁抵抗の測定を可能にする。また、この実施の形態によれば、測定頻度からすれば絶縁抵抗測定装置の常設の必要はなく、絶縁抵抗測定装置を用いた測定方式により、携帯性に優れコスト的に有利である。さらに、この実施の形態によれば、もし、絶縁抵抗のトレンド（抵抗値の傾向）を取りたいニーズがあれば、絶縁抵抗測定装置を常設とし、定時に短絡電流を予測し、短絡しても問題ないことを確認して、絶縁抵抗を測定することが可能となる。
【００４８】
なお、この実施の形態では、絶縁抵抗測定装置の接続端子５Ａ、５Ｂを太陽光パネル用ＮＦＢ１２１１の端子１２１１１に接続したが、太陽光パネル用ＮＦＢ１２１１の端子１２１１２に接続端子５Ａ、５Ｂを接続して、太陽光パネル用ＮＦＢ１２１１をオンにすることにより、絶縁抵抗測定装置による絶縁抵抗を測定することは勿論可能である。
【００４９】
（実施の形態２）
この実施の形態では、実施の形態１による絶縁抵抗測定装置を用いた絶縁抵抗測定を次のようにしている。この実施の形態でも、図７と同様の太陽光パネル１１０１〜１１０ｎおよび接続箱１２０を備える太陽光発電装置を例としている。
【００５０】
この実施の形態では、測定対象が太陽光パネル１１０ｎである場合、絶縁測定を行う担当者は、接続箱１２０に収納されている太陽光パネル用ＮＦＢ１２１１〜１２１ｎと、連系用ＮＦＢ１４０とを切り、図６に示すように、絶縁抵抗測定装置の接続端子５Ａ、５Ｂを連系用ＮＦＢ１４０の端子１４１にそれぞれ接続する。なお、図６では、太陽光パネル１１０ｎおよび連系用ＮＦＢ１４０と、これらの周辺部分だけを示し、他は省略している。
【００５１】
この後、担当者は、太陽光パネル用ＮＦＢ１２１ｎを閉じ、絶縁抵抗測定装置にスタートの指示を入力する。これにより、絶縁抵抗測定装置は測定処理を開始して、太陽光パネル１１０ｎの絶縁抵抗を測定する。このとき、太陽光パネル１１０ｎに対して別の太陽光パネルが接続されている状態であっても、測定処理のステップＳ１〜Ｓ９とステップＳ１６とにより、絶縁抵抗測定装置が「測定不可」のメッセージを表示する。これにより、絶縁抵抗測定装置は、太陽光パネル１１０ｎに対して別の太陽光パネルが接続されていることを、担当者に知らせる。そして、絶縁抵抗測定装置は絶縁抵抗の測定を中止する。
【００５２】
一方、太陽光パネル１１０ｎが単独である場合には、絶縁抵抗測定装置は、ステップＳ１０〜Ｓ１５により、太陽光パネル１１０ｎの出力を短絡して絶縁抵抗を測定し、絶縁抵抗の抵抗値を表示する。
【００５３】
こうして、この実施の形態によれば、絶縁抵抗測定装置の接続端子５Ａ、５Ｂを連系用ＮＦＢ１４０の端子１４１にそれぞれ接続して、絶縁抵抗の測定を行うので、測定対象の太陽光パネルを替える毎に接続端子５Ａ、５Ｂの取り外しと再接続とを不要にして、効率的な絶縁抵抗の測定を可能にする。
【符号の説明】
【００５４】
１  第１スイッチ回路
２  第２スイッチ回路
３  第３スイッチ回路
４  保護回路
５Ａ、５Ｂ  接続端子
６  抵抗
７  変流器
８  電圧測定部
８Ａ、８Ｂ  測定端子
９  電流測定部
１０  電圧発生部
１０Ａ、１０Ｂ  出力端子
１１  制御部
１１Ａ  入力装置
１１Ｂ  表示装置
１１Ｃ  制御回路
１１Ｄ  インターフェース
１１Ｅ  記憶装置
１２Ａ、１２Ｂ、１２Ｄ  配線
１２Ｃ  短絡線（短絡回路）
【要約】
【課題】  各種装置の絶縁抵抗測定時に大きな短絡電流が発生することを防ぎ、また、絶縁抵抗測定を自動化する絶縁抵抗測定装置を提供する。
【解決手段】  制御部１１は、第１スイッチ回路１を制御して電圧測定部８を接続端子５Ａ、５Ｂ間に接続する。この後、制御部１１は、測定端子５Ａ、５Ｂ間で電圧測定部８が測定した電圧を、太陽光パネルの開放電圧とする。この後、制御部１１は、第２スイッチ回路２を制御して抵抗６を測定端子５Ａ、５Ｂ間に接続する。そして、制御部１１は、電流測定部９が測定した抵抗６を流れる電流と、開放電圧とから太陽光パネルの内部抵抗を算出する。さらに、制御部１１は、算出した内部抵抗と開放電圧とから太陽光パネルの短絡電流を予測する。
【選択図】  図１【図１】
0005518982.tif 000002
【図２】
0005518982.tif 000003
【図３】
0005518982.tif 000004
【図４】
0005518982.tif 000005
【図５】
0005518982.tif 000006
【図６】
0005518982.tif 000007
【図７】
0005518982.tif 000008